(57)【要約】【課題】木材資源を有効に活用できると共に、耐震性および強度性に優れ、現場において簡易かつ短期間で構築でき、低廉でかつ自然派志向にも適う安全な木造建築物を提供する。【解決手段】本発明の木造建築物１は、複数の長尺状木材２を側面にて面当接させて構成したパネル体３を、長尺状木材２が縦方向に延在するようにパネル体３を隣接配置し、パネル体３のみにて壁本体４を構成したことを特徴とするものである。このため、壁本体のすべての部位が実質的に柱で構成されたものとなり、耐震性および強度性に極めて優れたものとなる【選択図】図１
2006009441.tif 000002
【特許請求の範囲】
【請求項１】
複数の長尺状木材を側面にて面当接させて構成したパネル体を、前記長尺状木材が縦方向に延在するように前記パネル体を隣接配置し、前記パネル体のみにて壁本体を構成したことを特徴とする木造建築物。
【請求項２】
前記パネル体は、土台を介することなく固定用部材にて基礎に立設されている請求項１に記載の木造建築物。
【請求項３】
前記木造建築物は、前記パネル体にて構成された床本体を有しており、前記床本体は、前記壁本体に固定用部材を介して固定されている請求項１または２に記載の木造建築物。
【請求項４】
前記パネル体は、前記長尺状木材の側面に設けられた凸部と、隣接配置される長尺状木材の側面に設けられた凹部とを係合させて構成されており、前記凹部は、前記凸部を挿入可能とする第１凹部と、該第１凹部に連続して設けられ前記凸部と噛合して側面同士の接合状態を保持する第２凹部とを有し、前記パネル体は、前記第１凹部に前記凸部を挿入した後、前記凸部を前記第２凹部内にスライドさせて噛合させることにより、前記長尺状木材同士を側面間で連結させて構成されている請求項１ないし３のいずれかに記載の木造建築物。
【請求項５】
前記木造建築物は、前記壁本体の上端から下端までが一枚の前記パネル体にて構成されている請求項１ないし４のいずれかに記載の木造建築物。
【請求項６】
前記パネル体は、それぞれ異なる任意の位置で連接された長尺状木材にて構成されている請求項１ないし５のいずれかに記載の木造建築物。
【請求項７】
前記木造建築物は、内部に配する仕切り壁が前記パネル体にて構成され、かつ前記パネル体を構成する前記長尺状木材が縦方向に延在するように配置されている請求項１ないし６のいずれかに記載の木造建築物。
【発明の詳細な説明】
【技術分野】
【０００１】
本発明は、木材資源を有効に活用し、耐震性および強度性にも優れ、現場において簡易かつ短期間で構築でき、低廉でかつ安全な木造建築物に関するものである。
【背景技術】
【０００２】
従来の木造構法としては、日本の伝統的な木造構法である軸組構法（土台、柱、梁、桁、筋違を骨組みとして壁を構成する構法）、木質壁パネルを主とする北米のツーバイフォー構法の他、ログハウスなど丸太を校倉式に積み上げて構成する木造組積構法などがある。
【０００３】
ところで、近年、使い途のない間伐材が山肌に大量放置されており、それらの有効活用が長年の懸案となっている。また、より耐震性の高い建築物が嘱望されており、従来の構法下においても様々な補強手段が講じられている。さらに、現場における工期の長期化が住宅等の高騰を招いていることから工期の短縮化が求められている。さらに、薬害のない自然で安全な家造りを望むニーズも高まっている。
【発明の開示】
【発明が解決しようとする課題】
【０００４】
本願発明者は、それら従来の問題点を一挙に解決できる木造建築物を想起し、本発明を完成するに至ったものであり、すなわち、本発明の課題は、木材資源を有効に活用できると共に、耐震性および強度性に優れ、現場において簡易かつ短期間で構築でき、低廉でかつ自然派志向にも適う安全な木造建築物を提供することにある。
【課題を解決するための手段】
【０００５】
本発明の木造建築物は、複数の長尺状木材を側面にて面当接させて構成したパネル体を、長尺状木材が縦方向に延在するようにパネル体同士を隣接配置し、パネル体のみにて壁本体を構成したことを主要な特徴とする。
【発明の効果】
【０００６】
請求項１に記載の発明によれば、木材資源を有効に活用できると共に、耐震性および強度性に優れ、現場において簡易かつ短期間で構築でき、低廉でかつ自然派志向にも適う安全な木造建築物となる。
【０００７】
請求項２に記載の発明によれば、上記請求項の効果に加え、軸組構法のように土台（横材）の上に柱を立てることがないため、土台の陥没腐敗を招くこともなく、簡素な構造で強度性に優れた木造建築物となる。
【０００８】
請求項３に記載の発明によれば、上記請求項の効果に加え、床本体もパネル体にて構成されるため、現場においてより簡易かつ短期間で構築できると共に、より低廉に木造建築物を提供できる。
【０００９】
請求項４に記載の発明によれば、上記請求項の効果に加え、接着剤やボルトなどを使用せず、より安全かつ簡易に木造建築物を構築できる。
【００１０】
請求項５に記載の発明によれば、上記請求項の効果に加え、より耐震性または強度性に優れた木造建築物となる。
【００１１】
請求項６に記載の発明によれば、上記請求項の効果に加え、短小な長尺状木材も有効活用できると共に、長尺状木材毎に連接部位が区々であるためパネル体の強度性ひいては壁本体の強度性をより高めることができる。
【００１２】
請求項７に記載の発明によれば、上記請求項の効果に加え、仕切り壁も壁本体と同様のパネル体を使用するため、より安価に木造建築物を提供できると共に、より強度性に優れた木造建築物となる。
【発明を実施するための最良の形態】
【００１３】
本発明の木造建築物１は、複数の長尺状木材２を側面にて面当接させて構成したパネル体３を、長尺状木材２が縦方向に延在するようにパネル体３を隣接配置し、パネル体３のみにて壁本体４を構成したことを特徴とするものである。以下、各構成について順次詳述する。
【実施例１】
【００１４】
図１は本発明の木造建築物の一実施例の正面図であり、図２は図１に示した木造建築物を構成する木製パネルの拡大斜視図であり、図３は図２に示した木製パネルの作製方法を説明するための斜視図であり、図４は図２に示した木製パネルによる基礎への取付構造および床本体の取付構造を説明するための拡大縦断面図である。
【００１５】
この実施例の木造建築物１は、図１に示すように、複数の長尺状木材（長尺状柱材）２から構成されたパネル体３から壁本体４が構成されている。
【００１６】
長尺状木材としては、間伐材が使用されており、これにより、山肌に放置されている大量の木材資源を有効に活用することができると共に、安価な間伐材を使用することにより、低廉に木造建築物を提供できる。
【００１７】
また、この実施例の長尺状木材としては、角材（９ｃｍの正角であって、樹心をもつ心もち角）が使用されている。ただし、長尺状木材は角材に限定されるものではなく、隣接する長尺状木材の側面間において間隙なく面当接できるものであればよく、例えば、長尺状木材の対向する両側側面に面当接させるための平面部を有し、他の側面等は曲面に形成されたものであってもよい。また、長尺状木材の寸法は９ｃｍ角に限定されるものではなく、１２ｃｍ角などであってもよい。さらに、間伐材を使用することによって、強度性に優れた心もち角が低廉に多用でき最も好適であるが、心もち角に限定されるものでもない。
【００１８】
パネル体３は、図２に示すように、複数の長尺状木材２を側面にて面当接させて構成したパネル体３から構成されている。
具体的には、この実施例のパネル体３は、１０本の長尺状木材２を側面同士面当接させて、横９０ｃｍ、縦３ｍのパネル体に形成されており、長手方向（縦方向）の寸法が、二階建て住宅の壁本体４を上端から下端まで一枚のパネル体３にて構成できるサイズとなっている。
【００１９】
このようなパネル体３は、図３に示すように、長尺状木材２Ａの一側面２ａに設けられた凸部（蟻ほぞ）５と、隣接配置される長尺状木材２Ｂの一側面２ｂに設けられた凹部６とを係合させて構成されている。
【００２０】
凹部６は、凸部５を挿入可能とする第１凹部７と、第１凹部７に連続して設けられ凸部５と噛合して側面２ａ，２ｂ同士の接合状態を保持する（換言すれば、側面２ａ，２ｂの離間を抑止する）第２凹部（蟻みぞ）８とを有しており、パネル体３は、第１凹部７に凸部５を挿入した後、凸部５を第２凹部８内に移動させて噛合（蟻継ぎ）させることにより、長尺状木材２Ａ，２Ｂ同士を側面２ａ，２ｂ間で連結させて構成されている。
【００２１】
より具体的には、第１凹部７は、図３中の矢印が示すように、凸部５を側面側から挿入して収容できるように、凸部５の形態に対応した形態に形成され、凸部が挿入された状態で側面２ａ，２ｂが面当接する深さに形成されている。
【００２２】
第２凹部８は、側面の長手方向に沿って第１凹部７に連続して設けられており、凸部５と噛合して側面２ａ，２ｂ同士の面当接状態を保持する形態（蟻溝）で、かつ第１凹部７と略同一の深さに形成されている。
【００２３】
そして、このような凹部６および凸部５は、一本の長尺状木材の一側面とそれに対向する他側面にそれぞれ形成されており、複数の長尺状木材２を順次側面同士で係合させてパネル体３が構成される。長尺状木材間に、このような係合構造を採用することにより、かなり長い長尺状木材同士でも接合することができ、接着剤やボルトなども使用せず、より簡易かつ安全なパネル体３を形成できる。
【００２４】
なお、凸部の形態はこの実施例のように鳩尾形に限定されるものでなく、第２凹部８と噛合して側面２ａ，２ｂ同士の面当接状態を保持できる形態であればどのような形態でもよい。また、この実施例では、凸部５は、側面２ａの長手方向に沿って上端から下端まで点在して設けられており、凹部６もそれに対応して第１凹部７および第２凹部８を連続的に設けることにより形成されているが、例えば側面の上部と下部付近に部分的に凹部および凸部を設けたものでもよい。さらに、図３では、矢印が長尺状木材２Ａを上方に向かってスライドさせることにより接合されるように示されているが、長尺状木材２Ａを下方に向かってスライドさせても接合できる。さらに、点在して設けられた凸部５の間隙には、第１凹部７に凸部５を挿入する際に第２凹部８内に挿入可能な幅を有したさね（実）部５ａが、凸部５に対して連続的に形成されている。
【００２５】
また、長尺状木材２Ａ，２Ｂの上端面には、長尺状木材２Ａ，２Ｂを連結させた状態で連通するスライド抑止用凹部（蟻溝）９が設けられており、このスライド抑止用凹部（蟻溝）９に、図２に示すように、スライド抑止部材１０を挿通させることにより、長尺状木材の側面同士が長手方向にスライドすることを抑制でき、パネル体３としての形態を保持するように構成されている。なお、この実施例では、長尺状木材２の下端面にもスライド抑止用凹部（蟻溝）９が設けられており、このスライド抑止用凹部（蟻溝）９にもスライド抑止部材１０が挿通されている。
【００２６】
さらに、パネル体３は、図２に示すように、それぞれ異なる任意の位置で連接された長尺状木材２にて構成されており、連接部位には連接用凸部（蟻ほぞ）１１と連接用凹部（蟻溝）１２が設けられ、それらの係合により、木材が連接されて長尺状木材２が形成されている。これにより、短小な木材も有効活用できると共に、長尺状木材毎に連接部位を区々とすることにより、パネル体の強度性をより高めることができる。
【００２７】
そして、木造建築物１は、上記のように作製されたパネル体３を、図１に示すように、長尺状木材２が縦方向（垂直方向）に延在するようにパネル体３同士を隣接配置し、パネル体３のみにて壁本体（外壁本体）４が構成されている。また、コーナー部では、パネル体３の内壁面側の端部に隣接配置するパネル体３の側面を面当接させて壁本体４が構成されている。なお、図１では、パネル体３とそのパネル体３に隣接配置されるパネル体３との間は想像線で示されており、パネル体３の側面同士が面当接された状態で固定されている。ただし、パネル体３の側面同士にも前述した噛合する凹部および凸部を形成して両者が係合するように構成してもよい。
【００２８】
このように、本発明の木造建築物においては、木材として間伐材を使用すればログハウス型のような従来高価であった自然派志向の住宅等を極めて低廉に提供でき、木材資源の有効活用に資することもできる。また、無垢の木材は元来、縦方向に配されると乾燥し横方向に配されると腐食する性質を有することから、すべての長尺状木材が縦方向に延在するように配置される本発明の木造建築物は、耐久性および強度性に優れたものとなる。さらに、本発明の木造建築物は、壁本体が縦方向に配される長尺状木材にて構成されているため、壁本体のすべての部位が実質的に柱で構成されたものとなり、耐震性および強度性に極めて優れたものとなる。さらに、壁本体はパネル体を接合して構成するものであるため、ツーバイフォー構法のように、予め工場内でパネル化することが可能で、現場において簡易かつ短期間で構築できる。
【００２９】
パネル体３の基礎への固定方法としては、図４に示すように、固定用部材（この実施例では、アングル（断面Ｌ字型鋼材））１４を介して固定されている。具体的には、パネル体３は、布基礎１３の上部に緩衝シート材１５を介して立設された後、アングル１４にて内壁面側よりボルト１７によって堅結され、布基礎１３に対してはアンカーボルト１７によって固定されている。このように、木造建築物１では、基礎の上に土台（横材）を配しその上に柱を立てることなく、壁本体４を構成するパネル体３を基礎に立設固定するため、土台が陥没したり腐敗することもなく、より簡素な構造で強度性に優れた木造建築物となる。すなわち、軸組構法による住宅等が土台とその上部に載置される柱の接合付近から腐食することから、この木造建築物１にはそのような部位が存在せず強度性に優れたものとなる。
【００３０】
また、木造建築物１は、図４に示すように、パネル体３にて構成された床本体１８を有しており、床本体１８は、壁本体４に固定用部材（アングル（断面Ｌ字型鋼材））１４を介して固定されている。より具体的には、壁本体４を構成するパネル体３に対して、床本体１８を構成するパネル体３を直交する方向に配し、かつ、壁本体４を構成するパネル体３の内壁面に床本体１８を構成するパネル体の端面を面当接させた上で、それらの交差部位の下部にアングル（断面Ｌ字型鋼材））１４を当接させて、ボルト１７にて固定することにより、床本体１８が構成されている。このように、本発明の木造建築物１は、床本体１８もパネル体３にて構成されるため、現場においてより簡易かつ短期間で構築できると共に、より低廉に木造建築物を提供できる。
【００３１】
さらに、木造建築物１は、図１に示すように、壁本体４の上端から下端までが一枚のパネル体３にて構成されているため、耐震性および強度性に優れた木造建築物となる。特に、複数階（この実施例では２階）の建物であっても、壁本体４の上端から下端までを一枚のパネル体３にて構成することにより、一階部分と二階部分との境界がなく、より耐震性および強度性に優れた木造建築物を構築できる。なお、壁本体４に設けられる窓やドアは、パネル体３を部分的に切り欠き、その部位に取り付けられている。
【００３２】
さらに、木造建築物１は、内部の仕切り壁もパネル体３にて構成され、パネル体３を構成する長尺状木材２が縦方向に延在するように配置されているため、より安価に木造建築物を提供できると共に、より強度性に優れた木造建築物となる。なお、仕切り壁は床本体１８上に固定用部材を介して立設固定するため、任意の位置に移動容易であり、比較的容易に間取りを変更できる。
【図面の簡単な説明】
【００３３】
【図１】本発明の木造建築物の一実施例の正面図である。
【図２】図１に示した木造建築物を構成する木製パネルの拡大斜視図である。
【図３】図２に示した木製パネルの作製方法を説明するための斜視図である。
【図４】図２に示した木製パネルによる基礎への取付構造および床本体の取付構造を説明するための拡大縦断面図である。
【符号の説明】
【００３４】
１    木造建築物
２    長尺状木材
３    パネル体
４    壁本体
５    凸部
６    凹部
７    第１凹部
８    第２凹部
９    スライド抑止用凹部
１０  スライド抑止用部材
１１  連接用凸部
１２  連接用凹部
１３  布基礎
１４  固定用部材
１５  緩衝用シート材
１６  アンカーボルト
１７  ボルト
１８  床本体
【図１】
2006009441.tif 000003
【図２】
2006009441.tif 000004
【図３】
2006009441.tif 000005
【図４】
2006009441.tif 000006